(57)【要約】【課題】本発明は、明るく視認性が良好なカラー表示が行えるとともに生産性に優れた電気泳動表示装置およびその駆動方法、電子機器を提供することを目的の一つとしている。【解決手段】本発明の電気泳動表示装置は、第１基板および第２基板と、前記第１基板および前記第２基板との間に配置され、少なくとも分散媒と当該分散媒内に混入された粒子とを有する電気泳動層と、前記第１基板の前記電気泳動層側の面に、光を反射させる反射部材と、前記反射部材上に形成されるカラーフィルターと、画素ごとに島状に形成された第１電極と、前記第２基板の前記電気泳動層側の面に形成された、前記第１電極よりも広い面積の第２電極と、を備え、前記第２基板側から前記電気泳動層を見たときに視認される前記粒子の面積により階調を制御する。【選択図】図４
2011237582.tif 000002
【特許請求の範囲】
【請求項１】
第１基板および第２基板と、
前記第１基板と前記第２基板との間に配置され、少なくとも分散媒と当該分散媒内に混入された粒子とを有する電気泳動層と、
前記第１基板の前記電気泳動層側の面に形成された、光を反射させる反射部材、前記反射部材上に形成されるカラーフィルター、および画素ごとに島状に形成された第１電極と、
前記第２基板の前記電気泳動層側の面に形成された、前記第１電極よりも広い面積の第２電極と、を備え、
前記第２基板側から前記電気泳動層を見たときに視認される前記粒子の面積により階調を制御することを特徴とする電気泳動表示装置。
【請求項２】
前記反射部材に対して電位の入力が可能とされていることを特徴とする請求項１記載の電気泳動表示装置。
【請求項３】
前記反射部材の表面が光を散乱させる散乱面になっていることを特徴とする請求項１または２に記載の電気泳動表示装置。
【請求項４】
前記反射部材よりも前記第１基板側に、前記反射部材側に向かって突出する複数の凸部が形成された層間絶縁膜を有し、
前記反射部材の前記散乱面が前記複数の凸部の形状を反映させたものであることを特徴とする請求項３記載の電気泳動表示装置。
【請求項５】
前記反射部材よりも前記第１基板側に光を散乱させる散乱部材を有し、
前記第１基板上に、前記散乱部材と、前記反射部材と、前記カラーフィルターと、前記第１電極と接続されるトランジスタとがこの順で形成されていることを特徴とする請求項１から４のいずれか一項に記載の電気泳動表示装置。
【請求項６】
前記反射部材よりも前記第１基板側に光を散乱させる散乱部材を有し、
前記第１基板上に、前記第１電極と接続されるトランジスタ、前記散乱部材、前記反射部材、前記カラーフィルターがこの順で形成されていることを特徴とする請求項１から４のいずれか一項に記載の電気泳動表示装置。
【請求項７】
前記カラーフィルター内に前記散乱部材が保持されていることを特徴とする請求項１または２に記載の電気泳動表示装置。
【請求項８】
前記反射部材が光を散乱させる反射粒子であることを特徴とする請求項７記載の電気泳動表示装置。
【請求項９】
前記第１基板の前記電気泳動層側に前記画素ごとに島状に形成された第３電極を有し、
前記第１電極と前記第３電極とは互いに独立に駆動されることを特徴とする請求項１から８のいずれか一項に記載の電気泳動表示装置。
【請求項１０】
前記分散媒中にプラスに帯電した第１の前記粒子と、マイナスに帯電した第２の粒子とが混在されていることを特徴とする請求項１から９のいずれか一項に記載の電気泳動表示装置。
【請求項１１】
前記第２電極側から前記電気泳動層を見たときに視認される前記第１の色の粒子の面積と前記第２の色の粒子の面積とカラーフィルターの面積に応じて、前記第１の色の粒子の色、前記第２の色の粒子の色、及び前記カラーフィルターの色の混色を表示することを特徴とする請求項１０に記載の電気泳動表示装置。
【請求項１２】
前記１から前記１１のいずれか一項に記載の電気泳動表示装置を備えたことを特徴とする電子機器。
【発明の詳細な説明】
【技術分野】
【０００１】
本発明は、電気泳動表示装置、電子機器に関するものである。
【背景技術】
【０００２】
近年、電子ペーパーなどの表示部として、電気泳動表示装置が用いられるようになっている。電気泳動表示装置は、液相分散媒（分散媒）に複数の電気泳動粒子が分散された電気泳動分散液を有する構成になっている。電気泳動表示装置は、電界を印加することで電気泳動粒子の分布状態が変化し、電気泳動分散液の光学特性が変化することを表示に利用した装置である。
【０００３】
このような電気泳動表示装置において、下記特許文献１，２に記載されているような３粒子を用いたカラー電気泳動表示装置の概念が提案されている。これらには、電荷が正に帯電した粒子、負に帯電した粒子、無帯電の粒子の３粒子が３つの電極を用いて駆動されることが記載されている。しかしながら、上記特許文献では、１つの画素が３つのサブ画素に分かれており、それらの分離に隔壁が必要となる。隔壁を用いた場合は、隔壁内への電気泳動材料の充填方法や、対向基板の張り合わせ方法も新たな課題となり、生産性に関して多くの課題を有している。
【０００４】
一方、他のカラー表示方法として、カラーフィルターを備える構成が提案されているが（例えば、特許文献３）
【先行技術文献】
【特許文献】
【０００５】
【特許文献１】特開２００９−９０９２号公報
【特許文献２】特開２００７−９８３８２号公報
【特許文献３】特開２００９−３０１０５９号公報
【発明の概要】
【発明が解決しようとする課題】
【０００６】
しかしながら、カラーフィールターを備えた場合は原理的に表示が暗くなり、明るく視認性の良好なカラー表示を可能とする電気泳動表示装置の実現は困難である。
【０００７】
本発明は、上記従来技術の問題点に鑑み成されたものであって、明るく視認性が良好なカラー表示が行えるとともに生産性に優れた電気泳動表示装置およびその駆動方法、電子機器を提供することを目的の一つとしている。
【課題を解決するための手段】
【０００８】
本発明の電気泳動表示装置は、上記課題を解決するために、第１基板および第２基板と、前記第１基板と前記第２基板との間に配置され、少なくとも分散媒と当該分散媒内に混入された粒子とを有する電気泳動層と、前記第１基板の前記電気泳動層側の面に形成された、光を反射させる反射部材、前記反射部材上に形成されるカラーフィルター、および画素ごとに島状に形成された第１電極と、前記第２基板の前記電気泳動層側の面に形成された、前記第１電極よりも広い面積の第２電極と、を備え、前記第２基板側から前記電気泳動層を見たときに視認される前記粒子の面積により階調を制御することを特徴とする。
【０００９】
本発明によれば、第１基板上に反射部材とカラーフィルターとをこの順で備えているので、第２基板側から入射してきた光がカラーフィルターに入射することで着色されて反射部材によって電気泳動層側、対向基板側へと反射されることになる。この結果、光の利用効率が向上し、明るく視認性が良好なカラー表示が行える。
【００１０】
また、反射部材に対して電位の入力が可能とされていることが好ましい。
本発明によれば、反射部材に対して電位の入力が可能とされているので、例えば第２電極と同じ電位あるいはグランド電位を入力することによって、帯電した粒子の移動をスムーズにすることができる。これにより表示の切り替えを安定して行える。
【００１１】
また、前記反射部材の表面が光を散乱させる散乱面とされていることが好ましい。
本発明によれば、反射部材が光散乱性および光反射性の両方の機能を兼ね備えたものとなり、部品点数の削減によるコスト削減が可能となる。
【００１２】
また、前記反射部材よりも前記第１基板側に、前記反射部材側に向かって突出する複数の凸部が形成された層間絶縁膜を有し、前記反射部材の前記散乱面が前記複数の凸部の形状を反映させたものであることが好ましい。
本発明によれば、層間絶縁膜上に反射部材を成膜するだけで、当該反射部材の表面を散乱面にすることができる。
【００１３】
また、前記反射部材よりも前記第１基板側に光を散乱させる散乱部材を有し、前記第１基板上に、前記散乱部材と、前記反射部材と、前記カラーフィルターと、前記第１電極と接続されるトランジスタとがこの順で形成されていることが好ましい。
本発明によれば、第１基板上にトランジスタを形成する前に、散乱部材と反射部材とカラーフィルターとを予め形成しておくことが可能である。
【００１４】
また、前記反射部材よりも前記第１基板側に光を散乱させる散乱部材を有し、前記第１基板上に、前記第１電極と接続されるトランジスタ、前記散乱部材、前記反射部材、前記カラーフィルターがこの順で形成されていることが好ましい。
本発明によれば、トランジスタ上に反射部材を形成することにより、トランジスタに光が入射することが防止されて動作不良が生じるのを防ぐことができる。さらに、トランジスタ上でも光を散乱反射させることが可能となり、カラーフィルターによる有効光着色領域が実質的に増加し、より多くの着色光を取り出すことができる。
【００１５】
また、前記カラーフィルター内に前記散乱部材が保持されていることが好ましい。
本発明によれば、カラーフィルターに入射した光は、当該カラーフィルターにて着色されるとともに、反射粒子によって１回または複数回反射された後に観測者側に反射されることにより、明るさが高められて視認性の良好な表示が得られる。
【００１６】
また、前記反射部材が光を散乱させる反射粒子であることが好ましい。
本発明によれば、反射粒子として無色透明粒子、カラーフィルターと同色の透光性粒子あるいは金属等の反射性の材料を用いることが可能である。
【００１７】
また、前記第１基板の前記電気泳動層側に前記画素ごとに島状に形成された第３電極を有し、前記第１電極と前記第３電極とは互いに独立に駆動されることが好ましい。
本発明によれば、第１電極および第３電極は互いに独立に駆動され、第１電極および第３電極にそれぞれ印加される電圧により、互いに異なる極性に帯電した粒子どうしや、正負のいずれかに帯電した粒子などを、第２電極上における粒子の２次元あるいは３次元的な分布を制御することができる。
【００１８】
また、前記分散媒中にプラスに帯電した第１の前記粒子と、マイナスに帯電した前記第１の粒子とは異なる色の第２の前記粒子とが混在されていることが好ましい。
本発明によれば、例えば、粒子の色やカラーフィルターの色の組み合わせによってフルカラー表示を実現できる。
【００１９】
また、前記第２電極側から前記電気泳動層を見たときに視認される前記第１の色の粒子の面積と前記第２の色の粒子の面積とカラーフィルターの面積に応じて、前記第１の色の粒子の色、前記第２の色の粒子の色、及び前記カラーフィルターの色の混色を表示することが好ましい。
本発明によれば、第２電極側から電気泳動層を見たときに視認される第１の色の粒子の面積と第２の色の粒子の面積とカラーフィルターの面積に応じて、第１の色の粒子と第２の色の粒子との混色を表示することから、第１の色の粒子の分布面積と第２の色の粒子の分布面積とカラーフィルターの面積を制御することによって所望とする色表示が行える。
【００２０】
本発明の電気泳動表示装置の製造方法は、上記課題を解決するために、第１基板および第２基板と、前記第１基板および前記第２基板との間に配置され、少なくとも分散媒と当該分散媒内に混入された粒子とを有する電気泳動層と、前記第１基板の前記電気泳動層側に、光を反射させる反射部材と、前記反射部材上に形成されるカラーフィルターと、画素ごとに島状に形成された第１電極と、前記第２基板の前記電気泳動層側に形成される、前記第１電極取りも広い面積の第２電極と、を備える電気泳動表示装置の駆動方法であって、前記第１電極および前記第２電極に対して前記粒子を前記第１電極側に引き寄せるための電圧をそれぞれに印加する動作と、前記第１電極および前記第２電極に対して前記粒子を前記第２電極側へ移動させるための電圧をそれぞれに印加する動作と、を含むことを特徴とする。
【００２１】
本発明によれば、第１電極および第２電極に所定の電圧を印加することによりこれらの間に生じる電位差によって、第１電極あるいは第２電極側へ粒子を移動させることが可能である。この際、本発明の電気泳動表示装置は、第１基板上に反射部材とカラーフィルターとをこの順で備えているので、第２基板側から入射してきた光がカラーフィルターに入射することで着色されて反射部材によって電気泳動層側、対向基板側へと反射されることになる。この結果、視認性が良好なカラー表示が行える。
【００２２】
また、帯電した前記粒子の前記第２基板側における２次元あるいは３次元的な分布を第１電極、前記第２電極に印加する電圧の大きさおよび印加時間によって制御することが好ましい。
【００２３】
本発明によれば、粒子の第２基板（第２電極）側における２次元あるいは３次元的な分布を各電極に印加する電圧の大きさおよび印加時間によって制御することによって、階調制御を行うことができ、任意の色の表示を実現することが可能となる。
【００２４】
また、前記印加時間をパルス幅あるいはフレーム数によって制御することが好ましい。
【００２５】
本発明によれば、印加時間をパルス幅あるいはフレームによって制御することによって、容易に階調制御を行うことができ、任意の色の表示を確実に実現することが可能である。
【００２６】
また、前記電気泳動表示装置は、前記第１基板の前記電気泳動層側に前記画素ごとに島状に形成された第３電極を有し、前記第１電極および前記第３電極に対して互いに異なる電圧を同時に印加することが好ましい。
【００２７】
本発明によれば、第１電極および第３電極は互いに独立に駆動され、第１電極、第３電極にそれぞれ印加される電圧により、第２電極上における粒子の２次元あるいは３次元の分布を制御することができる。
【００２８】
また、前記電気泳動装置は、前記第１基板の前記電気泳動層側に前記画素ごとに島状に形成された第３電極を有し、前記第１電極に、前記第２電極に対して正極性の電圧を印加し、前記第３電極に、前記第２電極に対して負極性の電圧を印加することにより前記粒子を前記第１電極側および前記第３電極側に引き寄せる第１のプリセット動作と、前記第１電極に、前記第２電極に対して負極性の電圧を印加し、前記第３電極に、前記第２電極に対して正極性の電圧を印加することにより、前記粒子を前記第１電極側および前記第３電極側に引き寄せる第２のプリセット動作と、を有することが好ましい。
【００２９】
本発明によれば、第１のプリセット動作と第２のプリセット動作とで、第１電極と第３電極に印加する電圧の極性を切り替えて表示を行うことにより、第１電極、第２電極および第３電極間のＤＣ成分がなくなり、それぞれが交流駆動されることになる。これにより、電気泳動材料の劣化や、電極の腐食等を防止することができる。
【００３０】
また、前記第１プリセット動作と前記第２のプリセット動作とを交互に行うことが好ましい。
【００３１】
本発明によれば、第１のプリセット動作を第２のプリセット動作とを交互に行うことで、プリセット動作で一旦初期状態に戻してから表示を行える。これにより、連続して表示動作を実行するときよりも粒子の移動がスムーズになり、表示の切り替えを安定して行うことができる。
【００３２】
本発明の電子機器は、本発明の電気泳動表示装置を備えたことを特徴とする。
本発明によれば、カラーフィルターを備えた構成においても明るく視認性の良好なカラー表示が行え、かつ、低消費電力な表示部を備えているので、信頼性にすぐれた高品位の電子機器となる。
【図面の簡単な説明】
【００３３】
【図１】第１実施形態に係る電気泳動表示装置の全体構成を示す平面図。
【図２】（ａ）１画素を構成するサブ画素を概略的に示す図、（ｂ）１画素を構成するサブ画素の構成例。
【図３】第１実施形態における具体的な構成例を示す等価回路図。
【図４】電気泳動表示装置の１画素における概略構成を示す部分断面図。
【図５】第１実施形態の素子基板側における１画素の具体的な構成例を示す平面図。
【図６】図５のＡ−Ａ線に沿う断面図。
【図７】電気泳動表示装置の製造工程を説明するための断面図。
【図８】製造工程図。
【図９】製造工程図。
【図１０】電気泳動表示装置の動作原理について説明するための説明図。
【図１１】サブ画素における画素電極の配列状態を示す平面図。
【図１２】所望の階調を表現する際の粒子の分布を示す。
【図１３】表示色ごとの粒子の分布状態を示す図。
【図１４】表示色ごとの粒子の分布状態を示す図。
【図１５】第２実施形態の電気泳動表示装置の駆動波形を示すタイミングチャート。
【図１６】（ａ）第１のプリセット時における粒子の状態を示し、（ｂ）第２のプリセット時における粒子の状態を示す。
【図１７】第２実施形態の電気泳動表示装置における素子基板の構成を部分的に示す断面図。
【図１８】第２実施形態の素子基板の製造工程を説明するための断面図。
【図１９】素子基板の製造工程図。
【図２０】素子基板の製造工程図。
【図２１】第３実施形態の電気泳動表示装置の概略構成を部分的に示す断面図。
【図２２】第２実施形態の他の構成例を示す部分断面図。
【図２３】画素電極と接続電極との構成例を示す平面図。
【図２４】電子機器の一例を示す図。
【発明を実施するための形態】
【００３４】
以下、本発明の実施形態につき、図面を参照して説明する。なお、以下の説明に用いる各図面では、各部材を認識可能な大きさとするため、各部材の縮尺を適宜変更している。本明細書では、赤、緑、青の各色をそれぞれＲ、Ｇ、Ｂとも表記し、シアン、マゼンタ、イエローの各色をそれぞれＣ、Ｍ、Ｙとも表記する。
【００３５】
［第１実施形態］
図１（ａ）は、電気泳動表示装置１００の全体構成を示す平面図である。
図１（ａ）に示すように、本実施形態の電気泳動表示装置１００は、素子基板３００が対向基板３１０よりも大きな平面寸法を有しており、対向基板３１０よりも外側に張り出した素子基板３００上に２つの走査線駆動回路６１と２つのデータ線駆動回路６２とが外部機器と接続するためのフレキシブル基板２０１，２０２上にＣＯＦ（Chip On Film）実装（あるいはＴＡＢ（Tape Automated Bonding）実装）されている。そして、走査線駆動回路６１が実装されたフレキシブル基板２０１が、素子基板３００の一短辺に沿った辺縁部に形成された端子形成領域に、ＡＣＰ（異方性導電ペースト）やＡＣＦ（異方性導電フィルム）等を介して実装されている。ここで、素子基板３００は、後述する第１基板３０を基体として構成され、対向基板３１０は、後述する第２基板３１を基体として構成されている。
【００３６】
また、データ線駆動回路６２が実装されたフレキシブル基板２０２が、素子基板３００の一長辺に沿った辺縁部に形成された端子形成領域に、ＡＣＰやＡＣＦ等を介して実装されている。各端子形成領域には、それぞれ複数の接続端子が形成されており、各々の接続端子に対して表示部５から延びる後述の走査線やデータ線が接続されている。
【００３７】
また、素子基板３００と対向基板３１０とが重なる領域に表示部５が形成されており、表示部５から延びる配線（走査線６６やデータ線６８）は、走査線駆動回路６１及びデータ線駆動回路６２が実装されている領域に延出され、当該実装領域に形成された接続端子に接続されている。そして、かかる接続端子に対してフレキシブル基板２０１，２０２がＡＣＰやＡＣＦを介して実装されている。
【００３８】
図１（ｂ）は、電気泳動表示装置の全体構成を示す等価回路図である。
図１（ｂ）に示すように、電気泳動表示装置１００の表示部５には、複数の画素４０がマトリクス状に配列されている。表示部５の周辺には、走査線駆動回路６１およびデータ線駆動回路６２が配置されている。走査線駆動回路６１およびデータ線駆動回路６２は、それぞれコントローラー（不図示）と接続されている。コントローラーは、上位装置から供給される画像データや同期信号に基づき、走査線駆動回路６１およびデータ線駆動回路６２を総合的に制御する。
【００３９】
表示部５には走査線駆動回路６１から延びる複数の走査線６６と、データ線駆動回路６２から延びる複数のデータ線６８とが形成されており、これらの交差位置に対応して画素４０が設けられている。画素４０には、２本の異なるデータ線（データ線６８Ａおよびデータ線６８Ｂ）が接続されている。
【００４０】
走査線駆動回路６１は、複数の走査線６６を介して各々の画素４０に接続されており、コントローラーの制御のもと、各走査線６６を順次選択し、画素４０に設けられた選択トランジスタＴＲ１，ＴＲ２（図５参照）のオンタイミングを規定する選択信号を、選択した走査線６６を介して供給する。データ線駆動回路６２は、複数のデータ線６８を介して各々の画素４０に接続されており、コントローラーの制御のもと、画素４０の各々に対応する画素データを規定する画像信号を画素４０に供給する。
【００４１】
図２（ａ）は、１画素を構成するサブ画素を概略的に示す図である。図２（ｂ）は１画素を構成するサブ画素の変形例である。
図２（ａ）に示すように、本実施形態の電気泳動表示装置１００では、１つの画素４０が、Ｒ（赤）、Ｇ（緑）、Ｂ（青）の３つのサブ画素４０ｒ，４０ｇ，４０ｂにより構成されている。平面視矩形状を呈する各サブ画素が互いに長辺方向が平行となるように並べて配置されている。
【００４２】
本実施形態では、上記したような３色対応のサブ画素により構成されているが、サブ画素の数はこれに限らず、例えば図２（ｂ）に示すように４色対応のサブ画素により１画素が構成されていても良い。ここでは、平面視略正方形状を呈する４つのサブ画素４０ｒ，４０ｇ，４０ｂ，４０ｗにより構成されており、各サブ画素４０ｒ，４０ｇ，４０ｂ，４０ｗがＲ（赤）、Ｇ（緑）、Ｂ（青）、Ｗ（白）の４色に対応し、１画素全体でも平面視四角形状を呈するように配置されている。
なお、サブ画素の配置位置は図２（ａ），（ｂ）に図示したものに限らない。
【００４３】
図３は、第１実施形態における具体的な画素構成例を示す等価回路図である。
図３に示すように、本実施形態の電気泳動表示装置１００は、第１基板３０上に複数の走査線６６と複数のデータ線６８Ａ，６８Ｂとが設けられている。ここで、本実施形態の走査線６６は、表示領域内において２つに分岐された第１走査線６６Ａおよび第２走査線６６Ｂを有する。
【００４４】
１画素４０内には、２つの選択トランジスタＴＲ１（第１のトランジスタ）、選択トランジスタＴＲ２（第２のトランジスタ）と、電気泳動材料としての電気泳動層３２と、２つの画素電極３５Ａ（第１電極）および画素電極３５Ｂ（第３電極）と、対向電極３７（第２電極）と、接続電極４４Ａと、接続電極４４Ｂとが備えられている。
【００４５】
選択トランジスタＴＲ１は、ゲートに第１走査線６６Ａが接続され、ソースにデータ線６８Ａが接続され、ドレインに接続電極４４Ａを介して画素電極３５Ａが接続されている。
選択トランジスタＴＲ２は、ゲートに第２走査線６６Ｂが接続され、ソースにデータ線６８Ｂが接続され、ドレインに接続電極４４Ｂを介して画素電極３５Ｂが接続されている。
【００４６】
データ線６８の延在方向で隣り合うサブ画素Ｓ（Ａ）、Ｓ（Ｂ）のうちサブ画素Ｓ（Ａ）においては、選択トランジスタＴＲ１、ＴＲ２のそれぞれのゲートにｍ行の走査線６６が接続され、選択トランジスタＴＲ１のソースにＮ（Ａ）行のデータ線６８Ａが接続され、選択トランジスタＴＲ２のソースにＮ（Ｂ）行のデータ線６８Ｂが接続されている。
【００４７】
ここで、一方の電極が選択トランジスタＴＲ１，ＴＲ２のドレインおよび画素電極３５Ａ，３５Ｂ（電気泳動層３２）に接続された保持容量を設けた構成とすることも可能である。さらに保持容量線を設け、保持容量の他方の電極を保持容量線に接続してもよい。また、電気泳動層３２に電圧を印加するための、保持容量以外の手段を具備しても良い。
【００４８】
接続電極４４Ａは、選択トランジスタＴＲ１のドレインに接続されるとともに画素電極３５Ａに接続され、接続電極４４Ｂは、選択トランジスタＴＲ２のドレインに接続されるとともに画素電極３５Ｂに接続されている。
【００４９】
図４は、電気泳動表示装置の１画素における概略構成を示す部分断面図である。
図４に示すように、電気泳動表示装置１００は、素子基板３００と対向基板３１０との間に電気泳動層３２が挟持されている。素子基板３００は第１基板３０を有してなり、この第１基板３０の電気泳動層３２側の面には、散乱層４９（散乱部材）と、反射電極５０（反射部材）と、画素ごとに形成されたカラーフィルターＣＦと、選択トランジスタ（不図示）と、接続電極４４Ａ，４４Ｂと、島状の複数の画素電極３５Ａ（第１電極）および複数の画素電極３５Ｂ（第３電極）とが形成されている（図４においては１つずつ図示してある）。
【００５０】
一方、対向基板３１０は第２基板３１を有してなり、この第２基板３１の電気泳動層３２側の面には対向電極３７（第２電極）が形成されている。対向電極３７は、平面視で画素電極３５Ａ，３５Ｂを覆い、画素電極３５Ａ，３５Ｂよりも平面視における面積が広く形成されている。ここでは、対向基板３１０の少なくとも表示に寄与する部分を覆う領域に形成されている。
【００５１】
複数の画素電極３５Ａ，３５Ｂと対向電極３７との間に形成された電気泳動層３２は、透明な分散媒２１（Ｔ）中に、マイナスに帯電した黒色の負帯電粒子２６（Ｂｋ）と、プラスに帯電した正帯電粒子２７（Ｗ）とが混在されてなる。正負に帯電した粒子２６，２７は電気泳動層３２中において電気泳動粒子として振る舞う。
【００５２】
そして、画素電極３５Ａにプラスの電圧を印加すると負帯電粒子２６（Ｂｋ）が画素電極３５Ａ上に集められ、画素電極３５Ｂにマイナスの電圧を印加すると正帯電粒子２７（Ｗ）が画素電極３５Ｂ上に集められる。なお、対向電極３７には共通電位としてグランド電位が印加される。
【００５３】
そして、各画素電極３５Ａ，３５Ｂに印加する電圧の大きさを制御することによって。対向電極３７側から電気泳動層３２を見たときに視認される負帯電粒子２６の面積と、正帯電粒子２７の面積との面積により階調が制御される。分散媒２１（Ｔ）中に含まれる負帯電粒子２６（Ｂｋ）の黒色と、正帯電粒子２７（Ｗ）の白色と、カラーフィルターＣＦの色との混色が表示される。
【００５４】
図５は、第１実施形態の素子基板側における１画素の具体的な構成例を示す平面図、図６は、図５のＡ−Ａ線に沿う断面図である。
図５に示すように、第１基板３０上には、サブ画素Ｓごとに、選択トランジスタＴＲ１，ＴＲ２と、接続電極４４Ａ，４４Ｂと、画素電極３５Ａ，３５Ｂとが設けられている。
画素電極３５Ａおよび画素電極３５Ｂはそれぞれ複数ずつ設けられており、平面視円形状を呈する。複数の画素電極３５Ａどうしは平面視櫛歯形状を呈する接続電極４４Ａにより相互に接続され、複数の画素電極３５Ｂどうしは平面視櫛歯形状を呈する接続電極４４Ｂにより相互に接続されている。
【００５５】
選択トランジスタＴＲ１のドレイン電極４１ｄは接続電極４４Ａを介して複数の画素電極３５Ａに接続され、選択トランジスタＴＲ２のドレイン電極４１ｄは接続電極４４Ｂを介して複数の画素電極３５Ｂに接続されている。そして、複数の画素電極３５Ａには選択トランジスタＴＲ１を介してデータ線６８Ａからのデータ電位が印加され、複数の画素電極３５Ｂには選択トランジスタＴＲ２を介してデータ線６８Ｂからのデータ電位が印加されるようになっている。このように、複数の画素電極３５Ａと複数の画素電極３５Ｂとを互いに独立に駆動可能な構成とされている。
【００５６】
各接続電極４４Ａ，４４Ｂは、上述したように平面視櫛歯形状を呈してなり、２方向（例えば、走査線６６Ａ，６６Ｂあるいはデータ線６８Ａ，６８Ｂの延在方向）に沿って延在する２辺からなり、全体的にく字状を呈する幹部４４１と当該幹部４４１によって連結された複数の枝部４４２とを有してなる。複数の枝部４４２は、幹部４４１の延在方向とは異なる斜め方向（ここでは、枝部４４２の各辺に対して約６０°の方向。これに限らず、例えば４５°の方向とすることもできる）に、互いに平行して延在しており、すべての枝部４４２の延在長さを異ならせてある。具体的には、幹部４４１の角部（屈曲部分）付近から延出する枝部４４２が最も長く、該枝部４４２から遠ざかる枝部４４２ほど短い長さとなっている。
【００５７】
平面視櫛歯形状を呈する接続電極４４Ａ，４４Ｂは互いにかみ合うようにして画素４０内に配置され、接続電極４４Ａの枝部４４２ａの両側に接続電極４４Ｂの枝部４４２ｂ，４４２ｂが存在する状態となっている。
接続電極４４Ａの各枝部４４２ａは複数の画素電極３５Ａに対応し、接続電極４４Ｂの各枝部４４２ｂは複数の画素電極３５Ｂに対応している。
【００５８】
図６に示すように、厚さ０．６ｍｍのガラス基板からなる第１基板３０上には、その基板面全体にアクリルなどの樹脂層からなる散乱層４９が形成されている。散乱層４９はその表面（第１基板３０側とは反対側の面）が凹凸形状とされていて、光を散乱させる散乱面４９Ａ（第１基板３０とは反対側の面）となっている。散乱層４９の表面上には光を反射させる反射電極５０（反射部材）が形成されている。
【００５９】
反射電極５０は、銀やアルミニウムなどの光反射性を有する金属材料からなる。その他、屈折率の異なる誘電体膜（ＳｉＯ２、ＴｉＯ２など）を積層した誘電体積層膜（誘電体ミラー）により形成してもよい。そして、反射電極５０の表面上にはカラーフィルターＣＦが設けられている。
【００６０】
カラーフィルターＣＦは、画素電極３５Ａ，３５Ｂの形成領域に対応してマトリクス状に配列されている。このカラーフィルターＣＦは、赤色フィルタ、緑色フィルタ、青色フィルタの３種のフィルタを含み、図２（ａ）（あるいは図２（ｂ））に示す各色のサブ画素Ｓに対応するように所定の順番に従って配列される。具体的には、走査線６６の延在方向に沿って、赤色フィルタ、緑色フィルタ、青色フィルタがこの順番に配置され、さらにこれらを１組とする配列が繰り返されている。これにより、カラーフィルターＣＦの光の透過状態に応じてカラー表示が可能となる。
なお、カラーフィルターＣＦ上に保護膜を形成してもよい。
【００６１】
カラーフィルターＣＦ上には、サブ画素Ｓごとに選択トランジスタＴＲ１（ＴＲ２）の一部を構成するゲート電極４１ｅが形成されている。ゲート電極４１ｅは、厚さ３００ｎｍのアルミニウム（Ａｌ）からなる。このゲート電極４１ｅを覆うようにして第１基板３０の表面全体に酸化シリコン膜からなるゲート絶縁膜４１ｂが形成され、ゲート電極４１ｅの直上に厚さ５０ｎｍのａ−ＩＧＺＯ（Ｉｎ、Ｇａ、Ｚｎの酸化物）からなる半導体層４１ａが形成されている。
【００６２】
このゲート絶縁膜４１ｂ上には、厚さ３００ｎｍのＡｌからなるソース電極４１ｃおよびドレイン電極４１ｄがゲート電極４１ｅおよび半導体層４１ａと一部重なるようにそれぞれ設けられている。ソース電極４１ｃとドレイン電極４１ｄは半導体層４１ａに一部乗り上げるようにして形成されている。また、同じく厚さ３００ｎｍのアルミニウム（Ａｌ）からなる接続電極４４Ａがゲート絶縁膜４１ｂ上に形成されている。この接続電極４４Ａは、ソース電極４１ｃおよびドレイン電極４１ｄと同時にパターン形成されるものでドレイン電極４１ｄと接続されている。
【００６３】
ここで、選択トランジスタＴＲ１（ＴＲ２）としては、ａ−ＳｉＴＦＴ、ポリＳｉＴＦＴ、有機ＴＦＴ、酸化物ＴＦＴ等が使用可能である。構造もトップゲート、ボトムゲート構造共に可能である。
【００６４】
選択トランジスタＴＲ１（ＴＲ２）および接続電極４４Ａ（４４Ｂ）上にはこれらを覆うようにして、厚さ３００ｎｍの酸化シリコン膜からなる層間絶縁膜４２と、厚さ１μｍの感光性アクリルからなる層間絶縁膜４３とが形成されている。層間絶縁膜４３は平坦膜として機能する。なお、層間絶縁膜４２に平坦化膜としての機能を付与できれば層間絶縁膜４３は必ずしも必要ではなく、省略することができる。そして、層間絶縁膜４３上には厚さ５０ｎｍのＩＴＯからなる画素電極３５Ａ（３５Ｂ）が複数形成されている。これら複数の画素電極３５Ａ（３５Ｂ）は層間絶縁膜４２，４３に形成されたコンタクトホールＨ１（Ｈ２）を介して対応する選択トランジスタＴＲ１（ＴＲ２）のドレイン電極４１ｄ（接続電極４４Ａ（４４Ｂ））に接続されている。
【００６５】
このように、第１基板３０から画素電極３５Ａ（３５Ｂ）までの要素により、素子基板３００が構成される。
なお、接続電極４４Ａ（４４Ｂ）と画素電極３５Ａ（３５Ｂ）との間に形成される層間絶縁膜４２，４３は感光性のアクリル材料により構成されているが、これ以外の材料を用いて形成することも可能であり、例えば、シリコン酸化膜などの無機絶縁膜や有機絶縁膜などを用いてもよい。また、配線や絶縁膜の材料は上記に限らない。
また、カラーフィルターＣＦは顔料タイプでも染料タイプでもよい。
【００６６】
［電気泳動表示装置の製造方法］
次に、本実施形態の電気泳動表示装置の製造方法について述べる。
図７から図９は電気泳動表示装置の製造工程を説明するための部分断面図である。
【００６７】
まず、図７（ａ）に示すように、ガラス基板からなる第１基板３０上にアクリルなどの樹脂層を成膜しその表面を凹凸形状にすることで該表面を散乱面４０Ａとする散乱層４９を形成する。
次に、散乱層４９上にアルミニウム（Ａｌ）などの反射性を有する金属膜を成膜して反射電極５０を形成する。
次に、反射電極５０上にサブ画素Ｓに対応する３色のカラーフィルター層を有するカラーフィルターＣＦを形成する。このカラーフィルターＣＦ上に酸化膜などからなる保護膜を形成してもよい。
次に、カラーフィルターＣＦ上にスパッタ法でアルミニウム（Ａｌ）膜を基板面全体に成膜し、フォトエッチング法でゲート電極４１ｅを形成する。
次に、図７（ｂ）に示すように、酸化シリコン膜をプラズマＣＶＤ法で基板面全体に形成し、ゲート絶縁膜４１ｂを形成する。その後、ゲート絶縁膜４１ｂ上に、スパッタ法によりａ―ＩＧＺＯ（Ｉｎ、Ｇａ、Ｚｎの酸化物）からなる半導体層４１ａを形成する。このとき、フォトエッチングプロセスでゲート電極４１ｅ上を部分的に残すように島状態に加工した。酸化物半導体のソース、ドレイン領域は特に不純物導入等を行なわなくても自然に形成されることが知られている。本実施形態においても不純物導入等は行っていない。また、層間絶縁膜４２と半導体層４１ａの形成は、アモルファスシリコンのように、必ずしも真空中での連続成膜である必要はない。
【００６８】
次に、図７（ｃ）に示すように、ゲート絶縁膜４１ｂ上の全面にアルミニウム（Ａｌ）膜をスパッタ法により成膜し、該アルミニウム膜をフォトエッチング法でパターニングすることによって、半導体層４１ａに一部乗り上げるようにしてソース電極４１ｃおよびドレイン電極４１ｄを形成するとともに接続電極４４Ａ，４４Ｂを形成する。
【００６９】
次に、図８（ａ）に示すように、ソース電極４１ｃ、ドレイン電極４１ｄ、接続電極４４Ａ，４４Ｂを覆うようにして、酸化シリコン膜からなる層間絶縁膜４２をプラズマＣＶＤ法で形成した。
次に、図８（ｂ）に示すように、層間絶縁膜４２上に厚さ１ｕｍの感光性アクリルをスピンコート法で塗布することによって層間絶縁膜４３を形成する。その後、接続電極４４Ａ，４４Ｂ上の層間絶縁膜４２および層間絶縁膜４３を部分的に露光、現像、エッチングしてドレイン電極４１ｄ上を一部露出させる貫通孔１１ｂを複数形成する。
【００７０】
次に、図８（ｃ）に示すように、層間絶縁膜４３の表面全体にスパッタ法で厚さ５０ｎｍのＩＴＯ膜を成膜し、フォトエッチング法でパターニングすることで複数の画素電極３５Ａ（３５Ｂ）および複数のコンタクトホールＨ１（Ｈ２）を形成した。これらコンタクトホールＨ１（Ｈ２）を介して画素電極３５Ａは接続電極４４Ａに接続される。
【００７１】
次に、図９に示すように、素子基板３００の最表面（層間絶縁膜４３）上に所定の高さのシール材を形成し、該シール材によって囲まれた領域内に電気泳動材料を塗布して電気泳動層３２を形成した後、素子基板３００上に対向電極３７を有した対向基板３１０を貼り合わせる。このようにして本実施形態の電気泳動表示装置が完成する。
【００７２】
次に、本実施形態における電気泳動表示装置の駆動方法について述べる。
まず、電気泳動表示装置の駆動原理について先に説明する。
図１０に示すように、電気泳動表示装置の電気泳動層には、透明な分散媒（Ｔ）中にマイナスに帯電した黒色の負帯電粒子２６（Ｂｋ）と、プラスに帯電した白色の正帯電粒子２７（Ｗ）とが多数混在されている。正負の極性に帯電した粒子２６，２７は、電気泳動層３２中において電気泳動粒子として振る舞う。これら画素電極３５Ａ，３５Ｂには互いに異なる極性の電圧が印加され、対向電極３７にはグランド電圧が印加される。また、画素電極３５Ａ，３５Ｂに印加される正の電圧のうち絶対値が最大となる電圧を電圧ＶＨ（以下、正の最大値とも称する）、負の電圧のうち絶対値が最大となる電圧を電圧ＶＬ（以下、負の最大値とも称する）とする。
【００７３】
なお、「電極に電圧を印加する」とは、「電極に対して、グランド電位との間で当該電圧を生じさせるような電位を供給する」ことと同義である。
【００７４】
そして、画素電極３５Ａに中程度の大きさのマイナス電圧Ｖｌ（｜Ｖｌ｜＜｜ＶＬ｜）を印加すると、この電圧Ｖｌに対応する電位と対向電極３７のグランド電位との電位差（電圧）に起因する電界によってマイナスに帯電した粒子２６（Ｂｋ）は対向電極３７側に移動するが、電圧があまり大きくないため対向電極３７側であまり広がらずに分布する。これは、以下の理由による。
【００７５】
すなわち、粒子２６（Ｂｋ）は斜め電界（画素電極３５Ａから第１基板３０の法線に対して傾いた方向に出る電気力線を有する電界）でも移動するが、もともとの電界が大きくないため、斜め電界も大きくはならない。よって、粒子２６（Ｂｋ）の第２基板３１に平行な方向についての移動量が少なくなり、粒子２６（Ｂｋ）が狭い範囲に集中してスポット的な分布を実現できる。また、移動する粒子の数も少なくとなる。よって、ここでは小さい面積の黒表示が表現できる。
【００７６】
一方、画素電極３５Ｂには大きなプラス電圧ＶＨ（正の最大値）を印加する。すると、画素電極３５Ｂと対向電極３７との間の電位差（電圧）は画素電極３５Ａと対向電極３７との間の電位差より大きな電界が生じる。このため、画素電極３５Ａ側の粒子の数よりも多くの粒子２７（Ｗ）が対向電極３７側へ移動し、典型的には略全ての粒子２７（Ｗ）が移動する。また、電界が大きくなったことに伴って、画素電極３５Ｂからの斜め電界も大きくなるため、粒子２７（Ｗ）は当該斜め電界によって対向電極３７側に平行な方向についてのより広い範囲に分散し、平面視での分布範囲が広がることになる。
よって、対向基板３１０側から電気泳動層３２を見ると、小さな黒いドット表示とそれよりも大きな白色のドット表示とが形成される。これらの面積と、視認されるカラーフィルターＣＦの面積で決定される混色の色が表示される。
【００７７】
尚、対向電極３７側に粒子２６（Ｂｋ），２７（Ｗ）を移動させない場合、つまり、各画素電極３５Ａにプラス電圧ＶＨを印加するとともに画素電極３５Ｂにマイナス電圧ＶＬを印加して、全ての粒子２６（Ｂｋ）を画素電極３５Ａ上に集合させ、全ての粒子２７（Ｗ）を画素電極３５Ｂ上に集合させることにより、透明な分散媒２１（Ｔ）を介してカラーフィルターＣＦの色が対向基板３１０側から視認されるため、画素全体が各サブ画素ごとに設けられたカラーフィルターの色に対応した表示になる。
【００７８】
図１１には、各サブ画素Ｓ内における画素電極３５Ａおよび画素電極３５Ｂは２方向（Ｘ方向およびＹ方向）に交互に配置された様子が示されている。上述したように画素電極３５Ａおよび画素電極３５Ｂには互いに異なる極性の電圧が印加され、各々に印加される電圧の極性によって、マイナスに帯電した黒色の負帯電粒子２６（Ｂ）あるいはプラスに帯電した白色の正帯電粒子２７（Ｗ）の移動が制御されることになる。
【００７９】
図１２は、所望の階調を表現する際の粒子の分布を示す。
画素電極３５Ａにマイナスの電圧Ｖｌを印加すると画素電極３５Ｂ上の対向電極３７（不図示）側に黒色の負帯電粒子２６（Ｂｋ）が集合し、印加電圧の大きさ等に応じて所定の範囲に分布する。黒色の負帯電粒子２６（Ｂｋ）の分布領域２６Ｒ以外では透明な分散媒２１（Ｔ）を通してその下のカラーフィルターＣＦが見えることになる。ここでは、負帯電粒子２６（Ｂ）による黒表示が画素領域全体のおよそ１／３の面積を占め、カラーフィルターＣＦによる色表示が画素領域全体のおよそ２／３の面積を占めている。このような黒表示（黒粒子）の分布によって、赤色のカラーフィルターを備えたサブ画素Ｓにおいては暗い赤を表現でき、緑色のカラーフィルターを備えたサブ画素Ｓにおいては暗い緑を表現でき、青色のカラーフィルターを備えたサブ画素Ｓにおいては暗い青を表現することができる。
【００８０】
図１３および図１４に表示色ごとの粒子の分布状態を示す。なお、図１３および図１４では赤色フィルターを備えたサブ画素に着目して図示している。
図１３（ａ）に示すように、画素電極３５Ａにプラス電圧ＶＨを印加して画素電極３５Ｂにマイナス電圧ＶＬを印加すると、マイナスに帯電した黒色の負帯電粒子２６（Ｂｋ）が画素電極３５Ａ側に集合し、プラスに帯電した白色の正帯電粒子２７（Ｗ）が画素電極３５Ｂ側に集合する。この状態で対向電極３７側から電気泳動層３２を見ると、赤色のカラーフィルターＣＦ（Ｒ）の色が視認されてサブ画素Ｓ（４０ｒ）全体が赤表示となる（プリセット状態）。対向電極３７側から入射した入射光は、電気泳動層３２（分散媒２１（Ｔ））を透過してカラーフィルターＣＦ（Ｒ）に達し、該カラーフィルターＣＦ（Ｒ）の下層にある反射電極５０にて反射されるとともにこの反射時に当該反射電極５０と散乱層４９との境界における散乱部分（散乱面４９Ａ）において散乱された状態で観測者側に戻る。
【００８１】
図１３（ｂ）に示すように、上記プリセット状態から黒表示を行う場合には、画素電極３５Ａ，３５Ｂのそれぞれにマイナス電圧ＶＬを印加して、画素電極３５Ａに吸着していた負帯電粒子２６（Ｂｋ）を全て対向電極３７側へと移動させる。これにより、対向電極３７上に全ての負帯電粒子２６（Ｂｋ）が２次元あるいは３次元的に分布し、黒表示となる。対向電極３７側から入射した入射光は、粒子２６（Ｂｋ）により吸収されて観察側に戻るため、上記のように黒表示となる。
【００８２】
また、対向電極３７上における負帯電粒子２６（Ｂｋ）の分布状態によっては、赤みを帯びた黒表示が得られる。例えば画素電極３５Ａに印加する電圧を若干弱めるなどにより、粒子２６（Ｂｋ）どうしの隙間からカラーフィルターＣＦ（Ｒ）が見えて赤みを帯びた黒表示となる。
【００８３】
図１３（ｃ）に示すように、上記プリセット状態から白表示を行う場合には、画素電極３５Ａ，３５Ｂのそれぞれに対してプラス電圧ＶＨを印加して、画素電極３５Ｂに吸着していた正帯電粒子２７（Ｗ）を全て対向電極３７側へと移動させる。これにより、対向電極３７上に全ての正帯電粒子２７（Ｗ）が２次元あるいは３次元的に分布し、白表示となる。対向電極３７側から見ると多くの粒子２７（Ｗ）の色が視認される。よって、ここでは白表示となっている。対向電極３７側から入射した入射光は、粒子２７（Ｗ）により１回または複数回反射されて観察側に戻るため、上記のように白表示となる。このように、白色の粒子２７（Ｗ）によって入射光が観察側に散乱されることにより白表示が行われる。
【００８４】
また、対向電極３７上における正帯電粒子２７（Ｗ）の分布状態によっては、赤みを帯びた白表示が得られる。例えば画素電極３５Ａに印加する電圧を若干弱めるなどにより、粒子２６（Ｂｋ）どうしの隙間からカラーフィルターＣＦ（Ｒ）が見えて赤みを帯びた白表示となる。
【００８５】
図１３（ｄ）に示すように、上記プリセット状態から暗い赤色表示を行う場合には、画素電極３５Ａに黒表示のときよりも小さいマイナス電圧Ｖｌ（｜Ｖｌ｜＜｜ＶＬ｜）を印加し、画素電極３５Ｂにマイナス電圧ＶＬを印加して、画素電極３５Ａに吸着していた黒色の粒子２６（Ｂｋ）の一部を対向電極３７側へと移動させる。これにより、対向電極３７上に小さな黒いドットが形成される。対向電極３７側から電気泳動層３２を見ると、黒いドット表示と赤色のカラーフィルターＣＦ（Ｒ）が視認されて暗い赤表示となる。
【００８６】
図１４（ａ）に示すように、上記プリセット状態から淡い赤色表示を行う場合には、画素電極３５Ａにプラス電圧を印加し、画素電極３５Ｂに白表示のときよりも小さいプラス電圧Ｖｈを印加して、画素電極３５Ｂに吸着していた白色の粒子２７（Ｗ）を対向電極３７側へと移動させる。これにより、対向電極３７上に小さな白いドットが形成される。対向電極３７側から電気泳動層３２を見ると、白いドット表示と赤いカラーフィルターＣＦ（Ｒ）が視認されて淡い赤表示となる。
【００８７】
図１４（ｂ）に示すように、上記プリセット状態からグレー表示を行う場合には、画素電極３５Ａにマイナス電圧（Ｖｌ２）を印加し、画素電極３５Ｂにプラス電圧（Ｖｈ２）を印加と、各画素電極３５Ａ，３５Ｂ上に吸着していた粒子２６，２７のうちの多くが対向電極３７側へと移動し、各画素電極３５Ａ，３５Ｂ上には一部の粒子２６、２７が残る。対向電極３７上では各粒子２６，２７が２次元あるいは３次元的に分布して、粒子２６（Ｂｋ）による黒色の領域と、粒子２６（Ｂｋ）による白色の領域とが混在するので、この状態で対向電極３７側から電気泳動層３２を見ると、全体としてはグレー表示となる。
入射光は、黒色の粒子２６（Ｂｋ）において吸収される成分と、白色の粒子２７（Ｗ）において散乱される成分とを含んでおり、これら成分を足し合わせると、全体としてはグレー表示となる。
【００８８】
また、正帯電粒子２７（Ｗ）と負帯電粒子２６（Ｂｋ）を対向電極３７上にランダムに分布させるのではなく、白と黒の領域をそれぞれ形成するように分布させてもグレー表示は可能である。
【００８９】
なお、上記表示状態において、黒色の負帯電粒子２６の分布領域と白色の正帯電粒子２７の分布領域の周辺部では完全な黒表示、白表示にはならないが、各帯電粒子２６，２７の分布領域を視認したときの実効的な面積で諧調を制御し、明度と彩度との制御を行う。
このように、明度、彩度、またはフレー表示は、結果として対向電極３７の外部から電気泳動層３２を見たときに視認される粒子の分布の実行的な面積により制御されることになる。
【００９０】
本実施形態の電気泳動表示装置の駆動方法について詳細に説明する。
図１５に本実施形態の電気泳動表示装置を駆動する際の駆動波形を示すタイミングチャートである。ここでは、１つのサブ画素に着目し、白表示を行った後に赤表示を行う場合の駆動波形を示す。また、図１６（ａ）は、第１のプリセット時における粒子の状態を示し、（ｂ）は第２のプリセット時における粒子の状態を示す。
【００９１】
図１５に示すように、電気泳動表示装置の駆動方法は、第１のプリセット期間Ｔ１１と、第１の画像表示期間Ｔ１２と、第１の画像保持期間Ｔ１３と、第２のプリセット期間Ｔ２１と、第２の画像表示期間Ｔ２２と、第２の画像保持期間Ｔ２３とを含む。
【００９２】
（第１のプリセット期間Ｔ１１）
まず、表示を行う前にプリセット動作を行う。画素電極３５Ａにプラス電圧ＶＨ（正の最大値）を印加するとともに画素電極３５Ｂにマイナス電圧ＶＬ（負の最大値）を印加して、マイナスに帯電した黒色の負帯電粒子２６（Ｂｋ）を画素電極３５Ａ上に吸着させ、プラスに帯電した白色の正帯電粒子２７を画素電極３５Ｂ上に吸着させることによってサブ画素Ｓの全体を赤表示にする（図１６（ａ））。
【００９３】
（第１の画像表示期間Ｔ１２）
続いて、白表示動作を実行する。画素電極３５Ｂにプラス電圧ＶＨを印加し、画素電極３５Ａには黒色の負帯電粒子２６が画素電極３５Ａから離れない程度のマイナス電圧Ｖｌ１（Ｖｌ１＜ＶＬ）を印加する。あるいはＶcomや電圧ＶＨ等のプラス電圧を印加してもよい。このようにして、画素電極３５Ａ上に黒色の負帯電粒子２６（Ｂｋ）を吸着させたまま、すべての白色の正帯電粒子２７（Ｗ）を対向電極３７側へと移動させ、対向電極３７上を覆うように分布させる。これにより、対向電極３７側から電気泳動層３２を見た場合に白色の正帯電粒子２７（Ｗ）のみが視認される状態となり、白表示が得られる。
なお、図１３（ｃ）における白表示では画素電極３５Ａにプラスの電圧ＶＨを印加しているが、図１５の画像表示期間Ｔ１２における白表示では画素電極３５Ａにマイナスの電圧Ｖｌ１を印加している。このようにすると、画素電極３５Ａにマイナスの電圧Ｖｌ１が供給される一方、画素電極３５Ｂにはプラスの電圧ＶＨが印加されることになり、画素電極３５Ａ，３５Ｂにそれぞれ接続された２つのデータ線６８Ａ、６８Ｂに印加される電圧の極性を変えることができる。これにより、データ線駆動回路６２の電流負荷を小さくすることができる。
【００９４】
（第１の画像保持期間Ｔ１３）
次に、白表示を保持するための動作を実行する。ここでは、表示を切り替えずに保持させるため、画素電極３５Ａおよび画素電極３５ＢにそれぞれＶcomを印加する。画素電極３５Ａ、３５Ｂおよび対向電極３７の３電極のすべてをハイインピーダンス状態にしてもよい。これにより白表示が保持される。
【００９５】
（第２のプリセット期間Ｔ２１）
次に、表示を切り替える前に第２のプリセット動作を実行して、表示を白表示から赤表示にリセットする。ここでは、上述したような第１のプリセット動作で各画素電極３５Ａ，３５Ｂに印加した電圧の極性とは逆極性の電圧をそれぞれに印加して、第１のプリセット動作のときとは逆の色の粒子を各画素電極３５Ａ，３５Ｂ上に集合させることにより、画素電極３５Ａ側にプラスに帯電した白色の正帯電粒子２７（Ｗ）を吸着させ、画素電極３５Ｂ側にマイナスに帯電した黒色の負帯電粒子２６（Ｂ）を吸着させる（図１６（ｂ））。このように、白表示から赤表示に戻すプリセット動作を実行することにより、対向電極３７を含めた３つの電極間に交流電圧が印加されて、直流電圧がかからないので電気泳動材料の劣化や電極の腐食を防止することができる。
【００９６】
（第２の画像表示期間Ｔ２２）
続いて、暗い赤表示動作を実行する。画素電極３５Ｂに、絶対値が電圧Ｖｌ１より大きく電圧ＶＬより小さいマイナスの電圧Ｖｌ２（｜Ｖｌ１｜＜｜Ｖｌ２｜＜｜ＶＬ｜）を印加して、黒色の負帯電粒子２６（Ｂ）の一部を対向電極３７側へと移動させる。このとき、画素電極３５ＡにはＶcomまたは白色の正帯電粒子２７（Ｗ）が画素電極３５Ａから離れない程度（黒色の負帯電粒子２６が画素電極３５Ａ上に吸着しない程度）の小さなプラス電圧Ｖｈを印加する。このようにして、画素電極３５Ａ上に正帯電粒子２７（Ｗ）を吸着させておく。これにより、対向電極３７側では少量の黒色の負帯電粒子２６（Ｂｋ）が分布した状態となり、黒色の負帯電粒子２６（Ｂｋ）とカラーフィルターＣＦ（Ｒ）とによって暗い赤色が表示される。ここでも、先と同様に、電圧Ｖｈの代わりに電圧ＶＨを用いてもよい。
【００９７】
（第２の画像保持期間Ｔ２３）
次に、暗い赤表示を保持するための動作を実行する。ここでは、表示を切り替えずに保持させるため、画素電極３５Ａおよび画素電極３５ＢにそれぞれＶcomを印加する。これにより、画素電極３５Ａ、３５Ｂおよび対向電極３７の３電極のすべてをハイインピーダンス状態としてもよい。電力は消費されない。
【００９８】
このように、プリセット動作および画像表示動作は続けて行うのではなく、各動作の間に保持動作を実行しても良い。保持状態は実質的に各画素電極３５Ａ，３５Ｂに画像を書き換える電圧が外部から印加されない状態をさす。また、Ｖｌ１，Ｖｈの表示上の目的は、一方の画素電極上の黒粒子、白粒子が動かずに、他方の画素電極上の粒子が対向電極３７３７側に所定の量、位置に移動させることであるそれが達成できれば極性、大きさは問わない。
【００９９】
また、上記電圧の大小関係は一例である。なぜなら、これらの値の大小関係は画素電極３５Ａ，３５Ｂ間の距離や、画素電極３５Ａ，３５Ｂと対向電極３７との距離、画素電極３５Ａ，３５Ｂの大小や電気泳動材料によっても変わるからである。
さらに、プリセット期間に２つの画素電極３５Ａ，３５Ｂに印加する電圧の極性の切り替えは１画面ごとではなく、複数の画面ごとでも良い。
また、Ｖcomはグランド電圧に限らない。
【０１００】
本実施形態の電気泳動表示装置によれば、素子基板３００側の第１基板３０上に散乱層４９、反射電極５４、カラーフィルターＣＦがこの順に設けられており、対向基板３１０側から入射した入射光のうち、帯電粒子２６，２７の分布状態によって異なるが、粒子２６，２７間をすり抜けてカラーフィルターＣＦへと達した光成分は該カラーフィルターＣＦによって着色された後、散乱層４９と反射電極５４との界面において強く散乱されて観測者側へと戻ることになる。このように、素子基板側に散乱層と反射電極とを設けることにより良好な散乱機能を得ることができ、カラーフィルターＣＦや電気泳動層３２へ入射する光を良好に散乱させて表示画像の輝度を上げることができる。これにより、従来の構成に比べて光の利用効率が向上して、明るく視認性に優れたフルカラー表示の電気泳動表示装置が得られる。
【０１０１】
また、反射電極５４は電位の入力が可能な構成とされている。このため、例えば対向電極３７と同じ電位あるいはグランド電位を入力することによって、帯電粒子の移動を制御する制御電極としても機能させることができるので、帯電粒子の移動がスムーズになり、表示の切り替えを安定して行えるようになる。
【０１０２】
上記駆動方法において、対向電極３７に印加する電圧をＶcomとし一定としたが、交流電圧を印加してもよい。例えば、対向電極３７をグランド電圧を電圧ＶＨとの間で振ってもよい。対向電極３７がグランド電位の際に、画素電極３５Ａ（３５Ｂ）に電圧ＶＨ等のプラスの電圧を印加すれば、上記実施形態において画素電極３５Ａ（３５Ｂ）にプラスの電圧を印加した場合と同様の動作を行うことができる。また、対向電極３７が電圧ＶＨである際に、画素電極３５Ａ（３５Ｂ）にグランド電圧、またはグランド電圧と電圧ＶＨとの中間電圧を印加することで、画素電極３５Ａ（３５Ｂ）は相対的に対向電極３７の電位より小さくなり、上記実施形態においた画素電極３５Ａ（３５Ｂ）にマイナスの電圧を印加した場合と同様の動作を行うことができる。
上記実施形態では、画素電極３５Ａ、３５Ｂ間には振幅｜ＶＨ−ＶＬ｜の電圧が印加されるが、交流電圧を印加するようにすれば振幅を｜ＶＨ｜まで低減させることができる（ただし│ＶＨ│＝│ＶＬ│の場合）。
【０１０３】
また、本実施形態の電気泳動表示装置の構成によれば、各サブ画素Ｓ内に封入される帯電粒子が白粒子および黒粒子と共通であるため、隔壁を設ける必要がない。例えば、柱状のスペーサーを複数の画素ごとに１つずつ形成し、素子基板３００と対向基板３１０との間隔を保つようにしてもよい。また、隔壁が不要になることで、電気泳動材料の注入や封止は液晶装置で一般的に用いられているＯＤＦ（On Drop Fill）や注入封止方式を用いることができる。
【０１０４】
また、図２に示したように、１つの画素が複数のサブ画素Ｓ（４０ｒ，４０ｇ，４０ｂ）により構成されているので、色の合成はＲＧＢの各色の合成で表現できるため加法混色となるが、黒と白とはそれぞれの粒子が独自に表現を行う。このため、白黒のコントラストが高くなる。また、明度および彩度の表現が白黒粒子の片方のみで簡単に表現することができるのでフルカラー表示が容易に行える。
なお、１画素を複数のサブ画素に分けることなく形成しても良い。
【０１０５】
［第２実施形態の電気泳動表示装置］
次に、第２実施形態の電気泳動表示装置について説明する。
図１７は、第２実施形態の電気泳動表示装置における素子基板の構成を部分的に示す断面図である。
図１７に示すように、本実施形態における電気泳動表示装置の素子基板３００には、第１基板３０上のサブ画素Ｓごとに選択トランジスタＴＲ１（ＴＲ２）と、接続電極４４Ａ（４４Ｂ）とが形成されているともに、これら選択トランジスタＴＲ１（ＴＲ２）および接続電極４４Ａ（４４Ｂ）を覆うようにして、酸化シリコン膜からなる層間絶縁膜４２が基板面全体に形成されている。
【０１０６】
本実施形態では、この層間絶縁膜４２上に厚さ１μｍの感光性アクリルからなる層間絶縁膜５３が形成されている。層間絶縁膜５３の材料としては感光性アクリルを用いているが、これ以外の材料を用いることも可能であり、シリコン酸化膜等の無機絶縁膜、有機絶縁膜も可能である。層間絶縁膜５３の表面５３ａは凹凸形状とされており、層間絶縁膜４２とは反対側に向けて突出する複数の凸部５３Ａが形成されている。少なくとも１つのサブ画素Ｓ内において凸部５３Ａの平面視形状や断面形状、高さ等は不均一とされているとともに、第１基板３０上における複数の凸部５３Ａの配置位置はランダムな配置とされている。
【０１０７】
層間絶縁膜５３上には当該層間絶縁膜５３の表面５３ａの形状に倣うようにして反射電極５４（反射部材）が設けられている。反射電極５４はアルミニウム（Ａｌ）などを用いて形成され、その膜厚は層間絶縁膜５３の膜厚に比べて薄いことから、層間絶縁膜５３の表面５３ａすなわち凸部５３Ａの外形を反映させた形状になっている。これにより、反射電極５４の表面５４ａが散乱面となる。
【０１０８】
この反射電極５４には不図示の端子を介して所定の電位を入力することが可能となっており、帯電粒子の移動を制御する制御電極としても機能する。または、反射電極５４をコンタクトホールＨ１まで延設し、その内側で画素電極３５Ａと接続させ、同電位としても良い。
【０１０９】
反射電極５４上には３種（Ｒ，Ｇ，Ｂ）のフィルタを含むカラーフィルターＣＦが形成されており、各色のフィルタがそれぞれ対応するサブ画素Ｓ内に配置されている。カラーフィルターＣＦは下層の反射電極の凹凸形状を隠蔽するように所定の厚さで形成されている。このように、表面に平坦性を持たせることにより色むらが防止される。
【０１１０】
カラーフィルターＣＦ上には、感光性アクリルからなる透明な保護膜５５が形成されている。保護膜５５はカラーフィルターＣＦに対して高密着で形成されている。
【０１１１】
画素電極３５Ａ（３５Ｂ）はこの保護膜５５上に多数形成され、保護膜５５と、カラーフィルターＣＦと、反射電極５４と、層間絶縁膜５３,４２とを貫通するように形成されたコンタクトホールＨ１（Ｈ２）を介して、下層側の接続電極４４Ａ（４４Ｂ）とそれぞれ接続されている。
このようにして本実施形態の素子基板３００が構成されている。
【０１１２】
本実施形態の電気泳動表示装置は、第１基板３０上の選択トランジスタよりも上層側に反射電極５４とカラーフィルターＣＦとが形成されている。また、本実施形態の反射電極５４は下層にある層間絶縁膜５３の凹凸形状を反映させた形状になっており、光を反射させるだけでなく光を散乱させる機能も付与されている。このため、反射電極５４が光反射性および光散乱性を兼ね備えることで、反射部材と散乱部材とを別々に設ける必要がなくなるため部品点数を削減でき、装置の小型化が図れる。
【０１１３】
また、選択トランジスタ上に反射電極５４を形成することにより、選択トランジスタＴＲ１（ＴＲ２）に光が入射することが防止されて動作不良が生じるのを防ぐことができる。さらに、選択トランジスタ上でも光を散乱反射させることが可能となり、カラーフィルターによる有効光着色領域が実質的に増加し、より多くの着色光を取り出すことができる。
【０１１４】
また、本実施形態では、選択トランジスタ上の平坦性を確保するために形成される絶縁膜を利用して、反射電極５４に散乱性を付与している。層間絶縁膜５３の表面に複数の凸部５３Ａを設けることでその上に形成される反射電極５４が凹凸形状とされている。金属膜の表面に凹凸形状を設ける場合はある程度の膜厚が必要になるが、本実施形態の構成であれば反射電極５４の膜厚を薄くすることができるので装置の軽量化に寄与できる。
【０１１５】
このように、本実施形態の電気泳動表示装置によれば、より明るく輝度の高い表示が得られ、視認性の良好なカラー表示が行える。
【０１１６】
次に、第２実施形態の素子基板の製造方法について述べる。
図１８〜図２０は、第２実施形態の素子基板の製造工程を説明するための断面図である。なお、本製造方法において先の実施形態と同様の工程については説明を省略する。
【０１１７】
まず。図１８（ａ）に示すように、第１基板上に選択トランジスタＴＲ１（ＴＲ２）と接続電極４４Ａ（４４Ｂ）と層間絶縁膜４２とを形成した後、図１８（ｂ）に示すような層間絶縁膜５３を形成する。ここでは、層間絶縁膜４２上に感光性アクリル材料を塗布し、露光することで貫通孔１１ａと複数の凸部５３Ａを表面５３ａに多数形成する。
【０１１８】
次に、図１８（ｃ）に示すように、層間絶縁膜５３上にスパッタ法を用いてアルミニウム（Ａｌ）からなる厚さ１００ｎｍの金属膜を成膜し、フォトエッチングにより層間絶縁膜５３の貫通孔１１ａと平面視で重なる位置に平面視における大きさがこれよりも大きい貫通孔１１ｂをパターン形成することで反射電極５４を得る。
【０１１９】
次に、図１９（ａ）に示すように、反射電極５４上に、Ｒ，Ｇ，Ｂに対応した各色の顔料を含む材料を塗布、露光し、厚さ１μｍの３種の着色層を形成してカラーフィルターＣＦを得る。また、露光により、各着色層の、上記した貫通孔１１ａ，１１ｂと平面視で重なる位置に貫通孔１１ｃを形成する。このとき、貫通孔１１ｃが反射電極５４の貫通孔１１ｂよりも平面視における大きさが小さくなるように形成する。この結果、貫通孔１１ｃの内面がカラーフィルターＣＦで覆われて、反射電極５４の露出部分がなくなる。
【０１２０】
次に、図１９（ｂ）に示すように、カラーフィルターＣＦ上に保護膜５５を形成する。カラーフィルターＣＦ上に感光性アクリル材料を塗布し、露光、現像することで上記した貫通孔１１ａ，１１ｂと平面視で重なる位置に貫通孔１１ｄを形成する。貫通孔１１ｄをカラーフィルターＣＦの貫通孔１１ｃよりも小さい形状で形成し、カラーフィルターＣＦの貫通孔１１ｃの内面が保護膜５５で覆われるようにする。
【０１２１】
次に、貫通孔１１ａが形成された層間絶縁膜５３をマスクにして、貫通孔１１ａ内に露出している層間絶縁膜４２の一部をドライエッチング法により部分的に除去し、該層間絶縁膜４２に貫通孔１１ｅを形成する。なお、貫通孔１１ｄが形成された保護膜５５をマスクにして層間絶縁膜４２に貫通孔１１ｅを形成してもよい。
【０１２２】
次に、図２０に示すように、厚さ５０ｎｍのＩＴＯ膜をスパッタ法で成膜し、フォトエッチング法によりパターニングして画素電極３５Ａ（３５Ｂ）を得る。画素電極３５Ａ（３５Ｂ）はコンタクトホールＨ１（Ｈ２）を介して接続電極４４Ａ（４４Ｂ）と電気的に接続される。
このようにして本実施形態の素子基板３００が製造される。
【０１２３】
次に、素子基板３００の最表面（保護膜５５）上に所定の高さのシール材を形成し、該シール材によって囲まれた領域内に電気泳動材料を塗布して電気泳動層３２を形成した後、素子基板３００上に対向基板３１０を貼り合わせる。このようにして本実施形態の電気泳動表示装置が完成する。
【０１２４】
本実施形態の電気泳動表示装置によれは、第１基板３０上に塗布されたアクリル材料を露光することで層間絶縁膜５３の表面５３ａに凸部５３Ａを多数形成し、その後、層間絶縁膜５３の表面５３ａ上に層間絶縁膜５３の膜厚よりも薄い金属膜を成膜することにより反射電極５４を形成した。このようにして容易に光散乱性を有した反射電極５４を得ることができる。
【０１２５】
本実施形態の製造方法によれば、トランジスタ上の平坦性を確保する層間絶縁膜５３の表面に凹凸形状を形成してから、その表面上に薄い金属膜を成膜して反射電極を形成している。これにより、所望の凹凸形状を金属膜に反映させることができる。このように、層間絶縁膜５３の形状を利用して反射電極に凹凸形状を付与する手法を採用することで、エッチング方などを用いて金属膜の表面を凹凸形状にするよりも容易に製造することができる。また、金属膜の厚さも薄くすることができるので、装置の軽量化や材料コストも削減できる。
【０１２６】
［第３実施形態］
次に、第３実施形態の電気泳動表示装置について説明する。
図２１は、第３実施形態の電気泳動表示装置の概略構成を部分的に示す断面図である。
本実施形態は、カラーフィルターＣＦに光反射性を付与している点と、層間絶縁膜５３が省略されている点において先の第２実施形態と異なっている。
以下の説明においては、本実施形態の特徴部分を具体的に説明し、その他先の実施形態と同じ部分についての説明は省略する。
【０１２７】
図２１に示すように、本実施形態の電気泳動表示装置は、第１基板３０上の選択トランジスタおよび接続電極を覆うように形成された層間絶縁膜４２上に直接カラーフィルターＣＦが形成されている。このカラーフィルターＣＦ内には光反射性を有する反射粒子が多数混在されて構成されている。ここでは、反射粒子として無色透明粒子（あるいはカラーフィルターＣＦと同色の透光性粒子）が用いられており、カラーフィルターＣＦの層内に２次元および３次元的な分布で不規則な配列状態で保持されている。そのためカラーフィルターＣＦの光を乱反射する。
また、反射粒子として金属等の反射性の材料を用いても良い。
【０１２８】
このようなカラーフィルターＣＦを覆うようにして保護膜５５が形成され、この保護膜５５上に画素電極３５Ａ（３５Ｂ）が形成され、カラーフィルターＣＦおよび保護膜５５を貫通させて形成されたコンタクトホールＨ１（Ｈ２）を介して画素電極３５Ａ（３５Ｂ）と接続電極４４Ａ（４４Ｂ）とが接続されている。
このようにして本実施形態の素子基板３００が構成されている。
【０１２９】
対向基板側からカラーフィルターＣＦ内に入射した光は、各色のフィルターにて着色されるとともに、反射粒子によって１回または複数回反射された後に対向基板側から出光する。つまり、反射粒子によって入射光が観察側に散乱されることにより、明るさが高められて視認性の良好な表示が得られる。
【０１３０】
反射粒子としては、電気泳動層３２内に保持される白色の粒子と同様の材料を用いてもよいが、粒径をカラーフィルターＣＦの色層に対応する光の平均波長より大きくすると効果的に散乱が行える。ここで、カラーフィルターＣＦ（Ｒ）内に保持される反射粒子の粒径は６２０ｎｍ以上、カラーフィルターＣＦ（Ｇ）内に保持される反射粒子の粒径は５５０ｎｍ以上、カラーフィルターＣＦ（Ｂ）内に保持される反射粒子の粒径は４２０ｎｍ以上であることが好ましい。
【０１３１】
また、本実施形態の構成を先に述べた第２実施形態の構成に組み合わせても良い。
例えば、図２２に示すように、複数の凸部５３Ａを有する層間絶縁膜５３と光反射性および光散乱性を有した反射電極５４とを覆うようにして反射粒子が分散されたカラーフィルターＣＦを形成することにより、対向基板側から入射した光は、反射粒子２９どうしによって散乱および反射される光と、反射電極５４によって散乱および反射される光と、反射粒子２９および反射電極５４の両方で散乱および反射される光となって観測者側に戻ることになる。このため、反射電極５４および反射粒子２９のいずれか一方の部材のみを備えた構成と比べて、より一層輝度が向上し、さらに明るい視認性に優れた表示が得られる。
【０１３２】
図２３は、サブ画素における画素電極と接続電極との構成例を示す平面図である。
図２３に示すように、サブ画素Ｓ内には平面視矩形状の複数の画素電極５７Ａ，５７Ｂが互いに平行とされストライプ状に配列されている。複数の画素電極５７Ａは下層側の接続電極５８Ａによって相互に接続され、画素電極５７Ｂは下層側の接続電極５８Ｂによって相互に接続されている。接続電極５８Ａ，５８Ｂは画素電極５７Ａ，５７Ｂの配列方向とは交差する方向に延在し、各画素電極５７Ａの一方の端部側に形成されたコンタクトホールＨ１を介して複数の画素電極５７Ａ同士を電気的に接続し、各画素電極５７Ｂの一方の端部側（画素電極５７ＡのコンタクトホールＨ１が形成された端部とは反対側の端部）に形成されたコンタクトホールＨ２を介して複数の画素電極５７Ｂ同士を電気的に接続している。
【０１３３】
以上、添付図面を参照しながら本発明に係る好適な実施形態について説明したが、本発明は係る例に限定されないことは言うまでもない。当業者であれば、特許請求の範囲に記載された技術的思想の範疇内において、各種の変更例または修正例に想到し得ることは明らかであり、それらについても当然に本発明の技術的範囲に属するものと了解される。
【０１３４】
例えば、分散媒２１中に含まれる各種粒子としては、粒子の中心を空洞にした構造のものを用いても良い。このような構成によれば、粒子の表面で光を散乱させることに加えて、粒子内部の、空洞を構成する壁面においても光を散乱させることができ、光の散乱効率を向上させることが可能となる。よって、白、及びその他の色の発色性を向上させることができる。
また、カラーフィルターＣＦの３色をシアン（Ｃ）、マゼンタ（Ｍ）、イエロー（Ｙ）にしてもよい。あるいはその他の色の組み合わせでも良い。
以上の実施例は１サブ画素に白、黒の２粒子を２つのトランジスタで駆動する方法を述べた。しかし、白又は黒の１粒子を１つのトランジスタで表示する事も可能である。
例えば、黒粒子のみを用いて表示する場合は、図１４（ａ）に示す彩度の制御はできないが、明度の制御を行うことはできる。これは一般のＣＲＴやＬＣＤと同様の表示形態である。その時の具体的な実施例は、第１から第３の実施例において、第２のトランジスタＴＲ２を省略し、第１のトランジスタＴＲ１のみを用いたものと同様である。
また、本実形態に用いる事のできる電気泳動材料は上記のものに限らない。カプセル型や隔壁タイプの電気泳動材料を用いても良い。また、溶媒が直接電極や層間絶縁膜に接しないようにそれらの間に薄膜層を用いても良い。これは帯電粒子が電界による吸着と離脱を確実に行なえるようにするためにも用いられる。この薄膜層に用いる材料は有機膜でも無機膜でも良い。
【０１３５】
[電子機器]
次に、上記各実施形態の電気泳動表示装置を電子機器に適用した場合について説明する。
図２４は、本発明の電気泳動表示装置を適用した電子機器の具体例を説明する斜視図である。
図２４（ａ）は、電子機器の一例である電子ブックを示す斜視図である。この電子ブック１０００は、ブック形状のフレーム１００１と、このフレーム１００１に対して回動自在に設けられた（開閉可能な）カバー１００２と、操作部１００３と、本発明の電気泳動表示装置によって構成された表示部１００４と、を備えている。
【０１３６】
図２４（ｂ）は、電子機器の一例である腕時計を示す斜視図である。この腕時計１１００は、本発明の電気泳動表示装置によって構成された表示部１１０１を備えている。
【０１３７】
図２４（ｃ）は、電子機器の一例である電子ペーパーを示す斜視図である。この電子ペーパー１２００は、紙と同様の質感および柔軟性を有するリライタブルシートで構成される本体部１２０１と、本発明の電気泳動表示装置によって構成された表示部１２０２を備えている。
【０１３８】
例えば電子ブックや電子ペーパーなどは、白地の背景上に文字を繰り返し書き込む用途が想定されるため、消去時残像や経時的残像の解消が必要とされる。
なお、本発明の電気泳動表示装置を適用可能な電子機器の範囲はこれに限定されず、帯電粒子の移動に伴う視覚上の色調の変化を利用した装置を広く含むものである。
【０１３９】
以上の電子ブック１０００、腕時計１１００及び電子ペーパー１２００によれば、本発明に係る電気泳動表示装置が採用されているので、カラー表示手段を備えた電子機器となる。
【０１４０】
なお、上記の電子機器は、本発明に係る電子機器を例示するものであって、本発明の技術範囲を限定するものではない。例えば、携帯電話、携帯用オーディオ機器などの電子機器の表示部にも、本発明に係る電気泳動表示装置は好適に用いることができる。
【符号の説明】
【０１４１】
２１  分散媒、２６  負帯電粒子、２７  正帯電粒子、２８  無帯電粒子、２９  反射粒子（反射部材）、３０  第１基板、３１  第２基板、３２  電気泳動層、３５Ａ  画素電極（第１電極）、３５Ｂ  画素電極（第３電極）、３７  対向電極（第２電極）、４０  画素、４０Ａ  散乱面、Ｓ（４０ｒ、４０ｇ、４０ｂ）  サブ画素、４４Ａ  接続電極、４４Ｂ  接続電極、４９  散乱層（散乱部材）、４９Ａ  散乱面、５０  反射電極（反射部材）、５３  層間絶縁膜、５３Ａ  凸部、５３ａ  表面、５４  反射電極、５５  保護膜、５７Ａ  画素電極、５７Ｂ  画素電極、５８Ａ  接続電極、５８Ｂ  接続電極、６１  走査線駆動回路、６２  データ線駆動回路、６６,６６Ａ,６６Ｂ  第２走査線、６８Ａ,６８Ｂ  データ線、ＣＦ  カラーフィルター、ＶＨ,Ｖｈ  プラス電圧、ＶＬ,Ｖｌ,Ｖｌ１,Ｖｌ２  マイナス電圧、Ｖcom  電圧、１００  電気泳動表示装置、３００  素子基板、３１０  対向基板、Ｔ１１  第１のプリセット期間、Ｔ１２  第１の画像表示期間、Ｔ１３  第１の画像保持期間、Ｔ２１  第２のプリセット期間、Ｔ２２  第２の画像表示期間、Ｔ２３  第２の画像保持期間、ＴＲ１,ＴＲ２  選択トランジスタ、電子ブック（電子機器）、腕時計（電子機器）、電子ペーパー（電子機器）
【図１】
2011237582.tif 000003
【図２】
2011237582.tif 000004
【図３】
2011237582.tif 000005
【図４】
2011237582.tif 000006
【図５】
2011237582.tif 000007
【図６】
2011237582.tif 000008
【図７】
2011237582.tif 000009
【図８】
2011237582.tif 000010
【図９】
2011237582.tif 000011
【図１０】
2011237582.tif 000012
【図１１】
2011237582.tif 000013
【図１２】
2011237582.tif 000014
【図１３】
2011237582.tif 000015
【図１４】
2011237582.tif 000016
【図１５】
2011237582.tif 000017
【図１６】
2011237582.tif 000018
【図１７】
2011237582.tif 000019
【図１８】
2011237582.tif 000020
【図１９】
2011237582.tif 000021
【図２０】
2011237582.tif 000022
【図２１】
2011237582.tif 000023
【図２２】
2011237582.tif 000024
【図２３】
2011237582.tif 000025
【図２４】
2011237582.tif 000026